(57)【要約】【課題】粉状餌と練り餌の２種類の飼料を選択的に供給することを実現し、畜産業者にとって、ランニングコストやメンテナンス費用の他、新たな設備投資が最小限に抑えられてコスト的に有利な養鶏用飼料供給装置を提供する。【解決手段】飼料搬送手段Ａは、搬送パイプラインＰに、水の注入を制御する調整バルブを備えた給水手段１７を連結し、搬送パイプライン内に水が注入されると、可撓性を有する螺旋状の搬送スクリュ１５で水と粉状飼料を攪拌して練り餌を生成しながら搬送する一方、飼料給餌手段Ｂは、チェーンコンベアｂを、金属製の鎖環３８にその大きさに合わせて小径なディスク状の搬送駒４０をインサート樹脂成形により一体に組み付けた構造にする。そして、粉状飼料の供給時、第１コンベアガイド４５を飼料樋ａに取り付ける一方、練り餌の供給時は、第２コンベアガイド５０を飼料樋に取り付け、飼料の種類に応じて選択的に取り替えて使用可能にする。【選択図】          図１
2005304402.tif 000002
【特許請求の範囲】
【請求項１】
飼料タンクから搬送パイプライン内へ送り込まれる粉状の飼料を、該搬送パイプライン内に挿設した搬送媒介部材を回転駆動させて搬送する飼料搬送手段と、複数のコーナー部で屈曲させてエンドレスに形成した溝型の飼料樋内に無端状のチェーンコンベアを配設すると共に、前記飼料樋の長さに応じて幾つかのコーナー部にドライブユニットを軸支し、該ドライブユニットに備えた駆動ホイールに前記チェーンコンベアを巻き掛け、前記飼料搬送手段で搬送させてくる飼料を給餌ホッパから前記飼料樋へ送給する一方、前記ドライブユニットで前記チェーンコンベアを回動し、飼料を、前記飼料樋を通して循環させながら給餌する飼料給餌手段と、を備えた養鶏用飼料供給装置であって、
前記飼料搬送手段は、
前記搬送パイプラインの途中に、該搬送パイプライン内への水の注入を制御する調整バルブを備えた給水手段を連結すると共に、前記搬送媒介部材を、可撓性を有する螺旋状の搬送スクリュで形成し、飼料搬送時、前記搬送パイプライン内に水が注入されると、前記搬送スクリュで水と粉状飼料を攪拌して練り餌を生成しながら搬送する構成とし、
前記飼料給餌手段は、
前記チェーンコンベアを、金属製の鎖環に、その大きさに合わせて小径なディスク状の搬送駒をインサート樹脂成形により一体に組み付けたディスクコンベア構造にする一方、
上面を該チェーンコンベアの搬送駒のディスク形状に合わせた形状の凹面状に形成して全体に細長板レール状をなし、前記飼料樋の溝底面上に着脱自在に取り付ける第１コンベアガイドと、
溝底部を該チェーンコンベアの搬送駒のディスク形状に合わせた凹形状に長さ方向に沿って形成すると共に、両側縁に掛止フック部を設けて全体に樋状をなし、その掛止フック部で前記飼料樋の溝側縁に掛け外し自在に取り付ける第２コンベアガイドとを備え、
粉状飼料の供給時は、前記第１コンベアガイドを前記飼料樋に取り付ける一方、練り餌の供給時は、前記第２コンベアガイドを前記飼料樋に取り付け、飼料の種類に応じて、前記第１コンベアガイドと第２コンベアガイドの何れかを選択的に取り替えて使用可能な構成にしてなることを特徴とする、養鶏用飼料供給装置。
【請求項２】
前記駆動ホイールは、その駆動軸の外周に環状の弾性パッドを同軸に備え、該弾性パッドの外周面に、溝幅が前記駆動軸に向かうに従い漸次狭まるテーパ溝からなるガイド溝を設けることを特徴とする、請求項１に記載の養鶏用飼料供給装置。
【発明の詳細な説明】
【技術分野】
【０００１】
本発明は、鶏舎の周りでエンドレスに形成する飼料樋に無端状のチェーンコンベアを配設し、飼料供給時、飼料タンクから飼料を搬送して給餌ホッパを介して飼料樋に送給する一方、駆動装置でチェーンコンベアを回動し、飼料を、飼料樋を通して循環させながら給餌する養鶏用飼料供給装置に関する。
【背景技術】
【０００２】
従来の養鶏用飼料供給装置の中には、たとえば図８に示すようなカート式のものと、図９に示すようなプレートコンベア式のものがある。カート式飼料供給装置は、鶏舎１に飼料樋２と平行にカートレール３を搭載し、カートレール３にカート４を、その給餌用ホッパ４ａの飼料落下口を飼料樋２に向けて走行可能に懸架した構造になっている。
【０００３】
そして、飼料供給時は、カート４をカートレール３に沿って走行させながら、図示省略したが、飼料タンク内から飼料搬送手段によってカート４内へ搬送する飼料を、給餌ホッパ４ａから飼料樋２へ落下させて給餌している
【０００４】
一方、プレートコンベア式飼料供給装置は、図９（Ａ）に示すように、鶏舎１の周りで給餌路をエンドレスに形成する断面コ形状の溝型飼料樋２を備え、その飼料樋２に無端状のチェーンコンベア５を配設すると共に、給餌路の途中に、給餌ホッパ６と、チェーンコンベア５を駆動する大型駆動装置ｍを設置している。チェーンコンベア５は、図９（Ｂ）に示すように、それぞれ比較的厚肉な細長い金属プレートを台形状に曲げ成形して個々の鎖環５ａ‥を加工し、互いに隣接する鎖環５ａに金属製の連結片５ｂを巻き込んで、個々の鎖環５ａを繋いで無端状に連結した構造になっている。そして、チェーンコンベア５を、給餌路の各コーナー部２ａ内で軸支した金属製の搬送プーリ７に巻き掛けて飼料樋２にエンドレスに配設している。一方、駆動装置ｍは、駆動モータ８で回転駆動する駆動スプロケット９を、その歯をチェーンコンベア５の鎖環５ａに係止させて設置している。
【０００５】
そして飼料供給時は、図示省略した飼料タンク内から飼料搬送手段によって給餌ホッパ６へ飼料が搬送されてくると、飼料を、給餌ホッパ６から飼料樋２へ落下させる一方、駆動装置ｍの駆動モータ８を作動して駆動スプロケット９を回転駆動し、その歯９ａを鎖環５ａの連結片５ｂに押し当ててチェーンコンベア５を回動し、飼料を、飼料樋２を通して図中矢示方向へ循環させながら給餌している。
【発明の開示】
【発明が解決しようとする課題】
【０００６】
しかしながら、まず従来のプレートコンベア式の養鶏用飼料供給装置では、チェーンコンベア５として、鎖環５ａを１つ１つ曲げ加工して塗装を施し、いちいち隣接する鎖環５ａに金属製連結片５ｂを巻き込んで無端状に連結した複雑な構造の専用プレートコンベアを使用するため、それだけ部品コストが高くなるという課題があった。しかも、チェーンコンベア５の鎖環５ａと、それに押し当てる同じ金属製の駆動スプロケット９とが噛み合うとき、その歯９ａの磨耗が激しく、それが原因の故障が多発するために、これを未然に防止するためのメンテナンスサイクルも短くなり、それだけ作業上の労力が増大し、メンテナンス費用も高くなるという課題があった。
【０００７】
ところで、一般に、養鶏用飼料供給装置を用いて供給する養鶏用飼料は、予め粉砕されて粉状に生成された乾燥状態の餌が使用されている。従来、この粉状の飼料を養鶏用飼料供給装置で供給する場合には、鶏舎内で大量の粉塵が飛散して空気中を舞い、この粉塵が呼吸器に侵入し、それが原因で養鶏が呼吸器系病気にかかって死亡する事故が多発しているのが現状である。そこで、本発明者は、養鶏用飼料として、粉餌に水を混合させた、所謂練り餌を使用することを提案している。練り餌を使用すると、粉塵が舞うことはなく、養鶏にとって健康的で且つ衛生的であると共に、水と粉餌を別個に供給する場合と比較しても、養鶏にとって消化が良く、しかも、飼料供給上の無駄が少なく、昨今、規模縮小傾向にある畜産事業にあっても、経営効率が著しく向上するという利点があるからである。
【０００８】
ところが、従来の上記カート式飼料供給装置において、現状の粉状飼料に代えて、仮に練り餌を、そのまま供給しようとしても、大きな飼料落下口のあいたカート４の給餌用ホッパ４ａから、練り餌を適量ずつ落下させて給餌することは不可能である。また、コンベアプレート式飼料供給装置においても、仮に練り餌を供給しようとすると、チェーンコンベア５の鎖環５ａや連結片５ｂの隙間や裏側に練り餌の一部が侵入し、それらが経時、腐敗した残渣となって飼料樋２内に残留し、それが原因で、結局、養鶏が病気になるという健康・衛生上の問題が残り、同様に練り餌を供給することができないという課題がある。
【０００９】
一方で、従来、以上のように粉状飼料専用であったカート式やコンベア式の養鶏用飼料供給装置において、粉状飼料に代え、練り餌を供給可能な構造にするには、装置全体を全く新たに構築し直す必要があると考えられ、これは、将来も規模縮小傾向にある畜産業者にとって、コスト的に、とても困難であるという課題があった。
【００１０】
そこで、本発明の目的は、粉状餌と練り餌の２種類の養鶏用飼料を選択的に供給することを実現し、しかも、規模縮小傾向にある畜産業者にとって、ランニングコストやメンテナンス費用の他、新たな設備投資が最小限に抑えられてコスト的にも著しく有利な養鶏用飼料供給装置を提供することにある。
【課題を解決するための手段】
【００１１】
上記した発明の目的を達成すべく、請求項１に記載の発明は、飼料タンクから搬送パイプライン内へ送り込まれる粉状の飼料を、該搬送パイプライン内に挿設した搬送媒介部材を回転駆動させて搬送する飼料搬送手段と、複数のコーナー部で屈曲させてエンドレスに形成した溝型の飼料樋内に無端状のチェーンコンベアを配設すると共に、前記飼料樋の長さに応じて幾つかのコーナー部にドライブユニットを軸支し、該ドライブユニットに備えた駆動ホイールに前記チェーンコンベアを巻き掛け、前記飼料搬送手段で搬送させてくる飼料を給餌ホッパから前記飼料樋へ送給する一方、前記ドライブユニットで前記チェーンコンベアを回動し、飼料を、前記飼料樋を通して循環させながら給餌する飼料給餌手段と、を備えた養鶏用飼料供給装置であって、前記飼料搬送手段は、前記搬送パイプラインの途中に、該搬送パイプライン内への水の注入を制御する調整バルブを備えた給水手段を連結すると共に、前記搬送媒介部材を、可撓性を有する螺旋状の搬送スクリュで形成し、飼料搬送時、前記搬送パイプライン内に水が注入されると、前記搬送スクリュで水と粉状飼料を攪拌して練り餌を生成しながら搬送する構成とし、前記飼料給餌手段は、前記チェーンコンベアを、金属製の鎖環に、その大きさに合わせて小径なディスク状の搬送駒をインサート樹脂成形により一体に組み付けたディスクコンベア構造にする一方、上面を該チェーンコンベアの搬送駒のディスク形状に合わせた形状の凹面状に形成して全体に細長板レール状をなし、前記飼料樋の溝底面上に着脱自在に取り付ける第１コンベアガイドと、溝底部を該チェーンコンベアの搬送駒のディスク形状に合わせた凹形状に長さ方向に沿って形成すると共に、両側縁に掛止フック部を設けて全体に樋状をなし、その掛止フック部で前記飼料樋の溝側縁に掛け外し自在に取り付ける第２コンベアガイドとを備え、粉状飼料の供給時は、前記第１コンベアガイドを前記飼料樋に取り付ける一方、練り餌の供給時は、前記第２コンベアガイドを前記飼料樋に取り付け、飼料の種類に応じて、前記第１コンベアガイドと第２コンベアガイドの何れかを選択的に取り替えて使用可能な構成にしてなることを特徴とする。
【００１２】
請求項２に記載の発明は、請求項１に記載の養鶏用飼料供給装置において、前記駆動ホイールは、その駆動軸の外周に環状の弾性パッドを同軸に備え、該弾性パッドの外周面に、溝幅が前記駆動軸に向かうに従い漸次狭まるテーパ溝からなるガイド溝を設けることを特徴とする。
【発明の効果】
【００１３】
請求項１に記載の発明によれば、（１）飼料供給時、飼料搬送手段において、飼料タンクから粉状飼料を搬送パイプライン内へ送り込む一方、給水手段の調整バルブを開けて適宜量の水を搬送パイプライン内に注入すると共に、搬送スクリュを回転駆動し、搬送パイプライン内で粉状飼料と注ぎ水とを搬送スクリュによって攪拌しながら練り餌を生成し、この練り餌を搬送パイプラインを通して搬送スクリュで搬送して飼料搬送手段の飼料樋へ送給する一方、飼料給餌手段において、チェーンコンベアを駆動して第２コンベアガイドの溝底部上を摺動しながら回動し、ディスク状搬送駒によって練り餌を第２コンベアガイド内を通して送って循環させながら給餌する構成により、養鶏用飼料として、練り餌の供給を可能とし、そのように練り餌を使用する結果、従来の如く鶏舎内で粉塵が舞うことはなく、養鶏にとって健康的で且つ衛生的であると共に、水と粉餌を別個に供給する場合と比較しても、養鶏にとって消化が良く、しかも、飼料供給上の無駄が少なく、昨今、規模縮小傾向にある畜産事業にあっても、経営効率を著しく向上させることができる利点がある。
【００１４】
また、（２）飼料樋を通して給餌する養鶏用飼料が粉状餌か又は練り餌か、その種類に応じて、第１コンベアガイドと第２コンベアガイドの何れかを選択的に取り替えるだけで、同じ既存の飼料樋に対し簡単に取り付け可能な構成でるため、既存設備をほとんど新たに取り替える必要なく、粉状飼料と練り餌の２種類の飼料を選択的に供給することが実現し、しかも、今後、規模縮小傾向にある畜産業者にとっては、設備投資を最小限に抑えられ、コスト的にも著しく有利な養鶏用飼料供給装置を得ることができる。
【００１５】
更に、（３）本発明の養鶏用飼料供給装置を、カート式やプレートコンベア式など、他の既存の飼料供給装置に代えて付け替えようとする場合でも、それら既存の飼料供給装置に備えた飼料樋に、第１コンベアガイドと第２コンベアガイドの何れかを選択して取り付ければ、既設の飼料樋は取り外さず、そのまま利用して簡単に付け替えることができ、しかも、既存設備を活かしながら、粉状飼料と練り餌の２種類の飼料を選択的に供給することが実現し、その結果、同様に、畜産業者にとっては、設備投資を最小限に抑えられ、コスト的にも著しく有利な養鶏用飼料供給装置を得ることができる。
【００１６】
加えて、（４）チェーンコンベアが、従来のごとく複雑な構造のプレートコンベアではなく、市販チェーンの金属製鎖環に、その大きさ合わせた小径なディスク状搬送駒をインサート樹脂成形により組み付けた、容易に作製可能な簡単な構造であるため、それだけ必要な樹脂材料費が著しく削減され、全体の構成部品のコストを飛躍的に低減させることができる。（５）チェーンコンベアが、重量物ではなく、市販チェーンの金属製鎖環に樹脂製のディスク状搬送駒を組み付けた軽量な構造である一方、給餌路の長さに応じて幾つかのコーナー部にドライブユニットを設置し、それら複数のドライブユニットで分けてチェーンコンベアを駆動するコーナー駆動方式であるから、給餌路の長さに関係なく、従来の如く大型の駆動モータを用いる必要がなく、その結果、チェーンコンベアに過大な負荷が加わることを防止でき、これにより、それが原因の故障も著しく減少するため、それだけメンテナンスサイクルが長くなり、その分だけ作業上の労力も少なくて済み、維持コストも安価にすることができる。しかも、消費電力を少なくして日々のランニングコストも廉価で済むという利点もある。（６）そして、チェーンコンベアは、市販チェーンの金属製鎖環に樹脂製搬送駒を組み付けた構成であるため、駆動時、チェーンコンベアがコーナー部を通って飼料樋内を摺動するときに、接触する他部材との間で従来の如く大きな金属音を発生することがほとんどなく、これによって鶏舎内での騒音の問題も解消することができる。
【００１７】
請求項２に記載の発明によれば、駆動時、チェーンコンベアは、コーナー部内では、個々の先細な搬送駒が駆動ホイールのガイド溝に嵌り込んで咬合しながら回動する構成であるため、コーナー部で駆動ホイールに引っ掛かったり、スリップしたりすることなく、常にスムーズにコーナリングすることができ、その結果、コンベアの駆動トラブルの発生をなくして安定した飼料供給を行うこともできる。
【００１８】
以下、図面を参照しつつ、本発明の実施の形態について説明する。
【００１９】
図１は、本発明による養鶏用飼料供給装置の全体構成を示す斜視図である。図示飼料供給装置は、全体に飼料搬送手段Ａと、飼料給餌手段Ｂとで構成されている。飼料搬送手段Ａは、図１（Ａ）に示すように、餌補給装置１０を備えると共に、餌補給装置１０と飼料給餌手段Ｂの給餌ホッパ１１との間を、複数の直管状パイプや円弧状パイプを繋いで配管された搬送パイプラインＰで連結している。餌補給装置１０は、大容量の、予め粉砕されて粉状に生成された飼料を収容する飼料タンク１２と、飼料タンク１２の下でそれと連結して飼料補給量の調節機能を有した補給用ホッパ１３を備えている。
【００２０】
搬送パイプラインＰは、始端側の直管状パイプ１０ａを、補給用ホッパ１３と連結して連通させる一方、終端側の直管状パイプ１０ｂを、飼料給餌手段Ｂの給餌ホッパ１１の真上で垂設した細管状のドロップパイプ１４と連結し、そのドロップパイプ１４を介して給餌ホッパ１１と連通させている。斯かる搬送パイプラインＰには、図１（Ｂ）に一部を拡大して示すように、飼料の搬送媒介部材として、長尺な螺旋状の搬送スクリュ１５が挿設されている。この螺旋状の搬送スクリュ１５は、パイプラインの屈曲箇所に対応させるべく、可撓性を有したコイル板ばね材で形成されている。斯かる搬送パイプラインＰには、直管状パイプ１０ｂの端部に、搬送スクリュ１５の終端を連結したギヤモータ１６を組み付け、該ギヤモータ１６を給餌ホッパ１１上で支持してなる。従って、搬送スクリュ１５は、ギヤモータ１６を駆動すると、搬送パイプラインＰ内で軸心周りに回転して飼料を攪拌しながら図中矢印Ｘ方向へ搬送する構造になっている。
【００２１】
加えて、搬送パイプラインＰは、図１（Ａ）に示すように、直管状パイプ１０ａにおける飼料タンク１２の下流位置に、水を注入する給水手段１７を連結している。給水手段１７は、たとえば水道栓等とホースを介して連結して搬送パイプラインＰ内へ水を注入する構造であり、図示しないが、搬送パイプラインＰ内への水の注入と、その水量を制御する外部操作可能な調整バルブを付設してなる。
【００２２】
そこで、本発明の養鶏用飼料供給装置は、斯かる構成の飼料搬送手段Ａを用い、飼料として、乾燥した粉状の餌を飼料給餌手段Ｂへ送給する場合は、給水手段１７の調整バルブを閉め、一方で、ギヤモータ１６で搬送スクリュ１５を回転駆動し、飼料タンク１２から補給ホッパ１３で搬送パイプラインＰ内へ送り込まれる粉状飼料を、そのまま搬送パイプラインＰを通して搬送スクリュ１５で飼料給餌手段Ｂへ搬送する構成になっている。
【００２３】
他方、同じ飼料搬送手段Ａを用い、飼料として、水を含んだ練り餌を飼料給餌手段Ｂへ送給する場合は、給水手段１７の調整バルブを開けて適宜量の水を搬送パイプラインＰ内に注入し、一方で、ギヤモータ１６で搬送スクリュ１５を回転駆動し、飼料タンク１２から補給ホッパ１３で搬送パイプラインＰ内へ送り込まれる粉状飼料と、注ぎ水とを搬送スクリュ１５で攪拌して練り餌を生成しながら、その練り餌を、搬送パイプラインＰを通して搬送スクリュ１５で飼料給餌手段Ｂへ搬送する構成になっている。
【００２４】
上述の如く、養鶏用飼料として、粉状餌又は練り餌が送給される飼料給餌手段Ｂは、鶏舎Ｈの周りに構築され、複数のコーナーで屈曲させてエンドレスに給餌路を形成した飼料樋ａを備え、飼料樋ａ内に、無端状のチェーンコンベアｂを配設すると共に、給餌路の途中に前記給餌ホッパ１１を設置している。給餌ホッパ１１は、前記搬送用パイプラインＰを通して飼料が搬送されてくると、その飼料を飼料樋ａへ落して案内する構造になっている。
【００２５】
図示例の飼料樋ａは、金属板製で、上側を鶏が飼料を啄めるように開放した溝型レール状の直線ライン部２０と、各コーナー部２１の浅底な円形缶状のコーナージョイント２２〜２５を繋いで、エンドレスに連通する全体に略矩形な給餌路を形成し、その給餌路にチェーンコンベアｂを配設している。
【００２６】
更に、飼料給餌手段Ｂは、飼料樋ａにおいて、対角位置にあるコーナージョイント２２・２４に、チェーンコンベアｂを駆動するドライブユニットｄを設置したコーナー駆動方式を採っている。ドライブユニットｄは、駆動モータ２６を備え、その駆動軸２６ａで駆動ホイール３０を軸支してなる。そして、図示例では、ドライブユニットｄを、給餌路の距離、つまりチェーンコンベアｂの長さに応じて、対角位置にあるコーナージョイント２２・２４の２箇所にドライブユニットｄを設置している。したがって、残りの対角位置にあるコーナージョイント２３・２５では、従動ホイール２９を回転可能に軸支し、チェーンコンベアｂの駆動に応じて連れ回り可能な構成にしている。
【００２７】
駆動ホイール３０は、図２に示すように、中心に駆動軸２６ａの取付貫通穴３１ａをあけたボス３１を有し、特に、そのボス３１の外周に環状の弾性パッド３２を同軸に備えた構成になっている。弾性パッド３２は、図示例では、一対のゴム製パッドリング３３・３３と、複数のスペーサ３４とを備えてなる。パッドリング３３・３３は、ボス３１の外径に合わせた大きさの環状をなし、片面にテーパ面３３ａを付けたリング形状に成形されてなる。一方、スペーサ３４は、ボス３１の外径に合わせた大きさの環状プレートで、それぞれ等厚の鉄製リングからなる。そこで、駆動ホイール３０は、ボス３１にスペーサ３４を嵌め付けてから、それらスペーサ３４を間に挟んで、パッドリング３３・３３を、互いのテーパ面３３ａを対向させてボス３１に嵌め付けることにより、ボス３１の外周に弾性パッド３２を形成し、この弾性パッド３２を、一対の取付円板３５・３５で挟んでボス３１にボルトとナットで脱着可能に固定している。従って、駆動ホイール３０の弾性パッド３２には、その外周面３２ａに、パッドリング３３・３３のテーパ面３３ａによって溝幅が駆動軸２６ａに向かうに従い漸次狭まる断面形状のガイド溝３６が形成されてなる。なお、上記の従動ホイール２９も、駆動ホイール３０と同じ構造になっている。
【００２８】
チェーンコンベアｂは、図３に示すように、多数のリング状鎖環３８を相互に係合させて繋いだ市販の金属製チェーン３９を用い、そのチェーン３９の鎖環３８に、１つ置きに樹脂製のディスク状搬送駒４０を一体に組み付けたディスクコンベア構造になっている。そこで、図示例の搬送駒４０は、インサート樹脂成形法により、鎖環３８の大きさに合わせた小径なディスク形に成形し、鎖環３８に対し直交する向きに組み付けてなり、これにより、使用する樹脂量が必要最小限で済む構造にしている。そして、斯かるチェーンコンベアｂは、給餌路の距離に合わせた長さで、その両端を不図示のジョイントで繋いで無端状に形成し、コーナージョイント２２〜２５内で駆動ホイール３０および従動ホイール２９に巻き掛けて、エンドレスに飼料桶ａに配設する。このとき、チェーンコンベアｂは、コーナージョイント２２〜２５内にて、図２に示すように、個々の搬送駒４０が弾性パッド３２のガイド溝３６に嵌り込んで、駆動ホイール３０および従動ホイール２９に巻き掛けられてなる。
【００２９】
さて、飼料給餌手段Ｂにおいて、斯かるチェーンコンベアｂは、図１（Ｃ）で給餌路を一部拡大して示すように、ガイドレール状の第１コンベアガイド４５上に乗せて飼料樋ａの溝底面４４上に配設した構成になっている。
【００３０】
第１コンベアガイド４５は、図４（Ａ）に示すように、例えば樹脂成形し、上面４５ａを搬送駒４０のディスク形状に合わせた形状の凹面状に形成し、下面に複数の位置決めピン４５ｂを突設した細長板状のレール体からなる。第１コンベアガイド４５は、鋼製などの金属製であってもよい。一方、飼料樋ａには、図４（Ｃ）に示すように溝底面４４の幅方向中央に、第１コンベアガイド４５の位置決めピン４５ｂに対応させて、取付ピン穴４４ａを設けている。そして、斯かる第１コンベアガイド４５は、取付ピン穴４４ａに位置決めピン４５ｂを係合し、図５中鎖線で矢示するように、飼料樋ａの溝底面４４上に着脱自在に取り付け、チェーンコンベアｂの走行ガイドレールとして敷設する。
【００３１】
そこで、本発明の養鶏用飼料供給装置では、斯かる構成の飼料給餌手段Ｂを用い、飼料として、飼料搬送手段Ａから送給される粉状餌を給餌する場合は、飼料樋ａの溝底面４４上に第１コンベアガイド４５を敷設する構成になっている。
【００３２】
また、本発明の養鶏用飼料供給装置は、飼料給餌手段Ｂにおいて、チェーンコンベアｂを、図１（Ｄ）で給餌路を一部拡大して示すように、第２コンベアガイド５０上に乗せて飼料樋ａに配設することもできる構成になっている。
【００３３】
第２コンベアガイド５０は、図４（Ｂ）に示すように、例えば樹脂製で、溝底部５０ａを搬送駒４０のディスク形状に合わせた凹形状に長さ方向に沿って形成すると共に、両側縁に掛止フック部５０ｂを設けて全体に樋状に成形してなる。また、溝底部５０ａの裏面には、それぞれ位置決めピン５１ａを突設した複数の取付リブ５１を付設している。そして、位置決めピン５１ａを、図５中破線で矢示するように飼料樋ａの取付ピン穴４４ａに係合すると共に、掛止フック部５０ｂを飼料樋ａの溝側縁４６に掛けて、飼料樋ａ上に第２コンベアガイド５０を被せて掛け外し自在に取り付ける。斯かる第２コンベアガイド５０は、飼料樋ａの長さに応じて、これを複数本連結して形成するが、図４（Ｄ）に示すように、連結部において互いの端部を重ねて、そこをコーティングするなど、適宜の防水処理４９を施すことが望ましい。なお、第２コンベアガイド５０は、鋼製などの金属製であってもよい。
【００３４】
従って、本発明の養鶏用飼料供給装置は、同じ飼料給餌手段Ｂを用い、飼料として、飼料搬送手段Ａから送給される練り餌を給餌する場合は、飼料樋ａ上に第２コンベアガイド５０を被せて取り付ける。これによって、本発明では、飼料樋ａを通して給餌する飼料が粉状餌か又は練り餌か、その種類に応じて、第１コンベアガイド４５と第２コンベアガイド５０の何れかに取り替えて、選択的に飼料樋ａに対し取り付け可能な構成になっている。
【００３５】
さて、以上の如く構成した養鶏用飼料供給装置において、その構築時、飼料として粉状餌を使用し、粉状飼料を飼料搬送手段Ａで送給して飼料給餌手段Ｂで給餌する場合は、飼料樋ａの溝底面４４中央に、第１コンベアガイド４５を取り付けて敷設し、その第１コンベアガイド４５上にチェーンコンベアｂをのせて配設した給餌路を形成する。
【００３６】
そして、飼料供給時は、飼料搬送手段Ａにおいて、図１で示す給水手段１７の調整バルブを閉め、給水手段１７による注水を規制しておく。しかる後、飼料タンク１２に収容した粉状飼料を、補給用ホッパ１３で補給量を調整しながら、搬送パイプラインＰ内に送り込む一方、ギヤモータ１６を駆動して搬送スクリュ１５を回転し、粉状飼料を、搬送パイプラインＰを通して搬送スクリュ１５で矢印Ｘ方向に搬送し、ドロップパイプ１４を通して給餌ホッパ１１から飼料樋ａに落して送給する。他方、飼料給餌手段Ｂでは、ドライブユニットｄの駆動モータ２６を作動して駆動ホイール３０を回転駆動し、搬送駒４０をガイド溝３６に咬合させて、チェーンコンベアｂを、従動ホイール２９を連れ回りしながら回転駆動させると共に、図６に示すように、飼料樋ａ内で第１コンベアガイド４５上を摺動しながら給餌路に沿って回動し、ディスク状搬送駒４０によって図中矢印Ｙ方向へ粉状飼料ｓを送り、飼料樋ａを通してエンドレスの給餌路を循環させながら給餌する。
【００３７】
このとき、チェーンコンベアｂは、ディスク状搬送駒４０が第１コンベアガイド４５で案内され、左右に蛇行することなく飼料樋ａの溝底面４４中央を走行しながら給餌路を回動し、これにより、粉状飼料ｓを、養鶏が啄ばみやすいように搬送駒４０によって溝底面４４上で左右に振り分けて全面に拡散しながら、ムラなく運ぶことができる。また、飼料樋ａの溝底面４４に、たとえ上下左右の歪があっても、その上に重ねた第１コンベアガイド４５によって、チェーンコンベアｂは、歪の影響なく溝底面４４中央を安定して走行することができる。
【００３８】
一方、図示飼料供給装置において、その構築時、飼料として練り餌を使用し、練り餌を飼料搬送手段Ａで送給して飼料給餌手段Ｂで給餌する場合は、第１コンベアガイド４５に代え、既存の飼料樋ａ上に第２コンベアガイド５０を被せて付け替え、今度は、第２コンベアガイド４５に同じチェーンコンベアｂを配設して給餌路を形成する。
【００３９】
そして、練り餌の飼料供給時は、飼料搬送手段Ａにおいて、飼料タンク１２から粉状飼料を補給ホッパ１３で搬送パイプラインＰ内へ送り込む一方、給水手段１７の調整バルブを開けて、適宜量の水を搬送パイプラインＰ内に注入すると共に、ギヤモータ１６を作動して搬送スクリュ１５を回転駆動し、搬送パイプラインＰ内で粉状飼料と注ぎ水を搬送スクリュ１５によって攪拌しながら練り餌を生成し、この練り餌を搬送パイプラインＰを通して搬送スクリュ１５で矢印Ｘ方向に搬送し、ドロップパイプ１４を通して給餌ホッパ１１から飼料樋ａ上の第２コンベアガイド５０に落して送給する。このとき、本発明の飼料供給装置では、飼料搬送手段Ａにおいて、調整バルブを外部操作して給水手段１７による搬送パイプラインＰへの注水量を適宜に調節する一方、ギヤモータ１６の回転速度を適宜に調整することにより、粉状飼料と水の混合比率を変更して所望の練り餌を生成するようになっている。
【００４０】
他方、飼料給餌手段Ｂでは、上述したと同様に、ドライブユニットｄの駆動モータ２６を作動し、駆動ホイール３０を駆動してチェーンコンベアｂを回転駆動させると共に、図７に示すように第２コンベアガイド５０の溝底部５０ａ上を摺動しながら、給餌路に沿って回動し、ディスク状搬送駒４０によって図中矢印Ｙ方向へ練り餌ｗを送り、第２コンベアガイド５０内を通してエンドレスの給餌路を循環させながら給餌する。
【００４１】
このとき、チェーンコンベアｂは、ディスク状の搬送駒４０が第２コンベアガイド５０で案内され、左右に蛇行することなく第２コンベアガイド５０の溝底部５０ａに沿って走行し、これにより、練り餌ｗを、下方の既存の飼料樋ａ側へ侵入させることなく、しかも、練り餌ｗを、途中で滞ることなく、養鶏が啄ばみやすいように凹状の溝底部５０ａに沿ってムラなく運ぶことができる。
【００４２】
なお、図示飼料供給装置では、経時、図２で示した駆動ホイール３０において、弾性パッド３２のガイド溝３６が磨耗すると、いったん弾性パッド３２をボス３１から取り外し、ガイド溝３６の磨耗の程度に応じて、必要な数のスペーサ３４を抜き取り、ガイド溝３６のテーパ開き角度を調節する。そして、チェーンコンベアｂの駆動時、搬送駒４０が駆動ホイール３０および従動ホイール２９のガイド溝３６を通過するときに、スリップすることなく、常にガイド溝３６に嵌り込んでスムーズに咬合し、正確に駆動伝達されるように調整する。
【００４３】
ところで、上述した本発明の養鶏用飼料供給装置は、これを、他の既存の養鶏用飼料供給装置に代えて付け替える場合、既存の飼料供給装置に備えた飼料樋は取り外さず、そのまま利用して付け替えることができる。
【００４４】
たとえば図５（Ａ）に従って説明すると、本発明の養鶏用飼料供給装置を、他の、例えばコンベアプレート式飼料供給装置（図９参照）に代えて付け替える場合は、粉状餌用の第１コンベアガイド４５を使用し、この第１コンベアガイド４５を、コンベアプレート式飼料供給装置に既設の上記飼料樋ａと同様な断面コ形状の溝型飼料樋に取り付ければ、既設の飼料樋を新たに取り替えることなく、そのまま活かして粉状飼料の供給が可能な本発明の新たな飼料供給装置を、簡単に構築することができる。その場合、既設の飼料樋には、溝底面の幅方向中央に、第１コンベアガイド４５の位置決めピン４５ｂに合わせて、穴加工して前記取付ピン穴４４ａと同様なピン穴を設ける。一方、練り餌用の第２コンベアガイド５０を使用し、この第２コンベアガイド５０をコンベアプレート式飼料供給装置に既設の溝型飼料樋上に被せて取り付ければ、同様に、既設の飼料樋を新たに取り替えることなく、そのまま活かして練り餌の供給が可能な本発明の新たな飼料供給装置を、簡単に構築することもできる。
【００４５】
また、たとえば図５（Ｂ）に従って説明すると、本発明の養鶏用飼料供給装置を、他のカート式飼料供給装置（図８参照）に代えて付け替える場合は、同様に、粉状餌用の第１コンベアガイド４５を使用し、これをカート式飼料供給装置に既設した断面変形円弧形状の飼料樋ａ´の溝底面略中央に取り付ければ、既設の飼料樋ａ´を取り替えることなく、そのまま活かして粉状飼料の供給が可能な本発明の新たな飼料供給装置を、簡単に構築することができる。一方、練り餌用の第２コンベアガイド５０を使用し、これをカート式飼料供給装置に既設の飼料樋ａ´上に被せて取り付ければ、同様に、既設の飼料樋ａ´を取り替えることなく、そのまま活かして練り餌の供給が可能な本発明の新たな飼料供給装置を、簡単に構築することもできる。
【図面の簡単な説明】
【００４６】
【図１】（Ａ）は養鶏用飼料供給装置の全体構成を示す斜視図、（Ｂ）搬送スクリュの一部拡大斜視図、（Ｃ）は第１コンベアガイドを取り付けた飼料樋の一部を破断して示す部分拡大斜視図（Ｄ）は第２コンベアガイドを取り付けた飼料樋の一部を破断して示す部分拡大斜視図である。
【図２】駆動ホイールの構造を示す縦断面図である。
【図３】養鶏用飼料供給装置のチェーンコンベア駆動部分を示す斜視図である。
【図４】（Ａ）は第１コンベアガイドの構造を示す斜視図、（Ｂ）は第２コンベアガイドの構造を示す斜視図、（Ｃ）は飼料樋の一部を破断して示す部分拡大斜視図、（Ｄ）は第２コンベアガイドの連結部でのシール構造を示す断面図である。
【図５】（Ａ）第１および第２コンベアガイドの飼料樋に対する取付構造を示す断面図、（Ｂ）第１および第２コンベアガイドの他の飼料樋に対する取付構造を示す断面図である。
【図６】（Ａ）は粉状飼料の搬送状態を示す斜視図、（Ｂ）はその断面図である。
【図７】（Ａ）は練り餌の飼料の搬送状態を示す斜視図、（Ｂ）はその断面図である。
【図８】従来のカート式養鶏用飼料供給装置を示す斜視図である。
【図９】（Ａ）は従来のプレートコンベア式養鶏用飼料供給装置を示す斜視図、（Ｂ）は飼料樋の一部を破断して示す部分拡大斜視図である。
【符号の説明】
【００４７】
Ａ              飼料搬送手段
Ｂ              飼料給餌手段
Ｐ              搬送パイプライン
ａ              飼料樋
ｂ              チェーンコンベア
ｄ              ドライブユニット
ｓ              粉状飼料
ｗ              練り餌
１１            飼料ホッパ
１２            飼料タンク
１５            搬送スクリュ
１７            給水手段
３０            駆動ホイール
３２            弾性パッド
３８            鎖環
４０            搬送駒
４５            第１コンベアガイド
５０            第２コンベアガイド
【図１】
2005304402.tif 000003
【図２】
2005304402.tif 000004
【図３】
2005304402.tif 000005
【図４】
2005304402.tif 000006
【図５】
2005304402.tif 000007
【図６】
2005304402.tif 000008
【図７】
2005304402.tif 000009
【図８】
2005304402.tif 000010
【図９】
2005304402.tif 000011